【事件の表示】
　特願２００１−３２２４９９「サーバ、システム及びそれらの制御方法、プログラム」拒絶査定不服審判事件〔平成１５年　５月　９日出願公開、特開２００３−１３２２４９〕について、次のとおり審決する。
【結　論】
　本件審判の請求は、成り立たない。
【理　由】
第１　手続の経緯 
 　本願出願は，平成１３年１０月１９日の出願であって，平成２０年５月１４日付けで拒絶査定がなされ，これに対し，同年６月１８日に拒絶査定に対する審判請求がなされるとともに，同年７月１８日付けで手続補正がなされ、平成２１年１０月９日付けの審尋に対して、同年１２月１４日付けで回答書が提出されたが、その後当審において、平成２２年１１月１１日付けの拒絶理由通知が通知され、平成２３年１月１４日付けで手続補正がなされたものである。  
 　 
 第２　本願発明について 
　本願の請求項に係る発明は、平成２３年１月１４日付け手続補正書の特許請求の範囲の請求項１〜１１に記載された事項により特定されるとおりのものと認められ、請求項１に係る発明は次のとおりである。
 　 
 「【請求項１】　ネットワークを介してクライアントから受信する情報に基づいて印刷画像の処理を実行するサーバであって、
　複数種類の印刷媒体それぞれを示す印刷媒体画像を記憶する画像データベースと、
　前記印刷媒体に印刷する印刷画像と、該印刷画像が印刷される印刷媒体を前記画像データベースに記憶された前記複数種類の印刷媒体画像の中から指定する指定情報と、合成画像に対する編集指示情報とを前記クライアントより受信する受信手段と、
　印刷媒体を指定する前記指定情報により選択又は選択し直された印刷媒体画像を、前記クライアントのＷＥＢブラウザ上で表示可能なＷＥＢコンテンツの形態で該クライアントへ送信する第１送信手段と、
　前記クライアントから受信した前記指定情報に対応して選択が確定された後の印刷媒体画像と、前記印刷媒体画像の確定後に前記クライアントから受信した前記印刷画像との合成画像を、該印刷画像を受信することに基づいて生成するとともに、前記合成画像を前記クライアントのＷＥＢブラウザ上で表示可能なＷＥＢコンテンツの形態で該クライアントへ送信する生成手段と、
　前記生成手段で生成した合成画像を、前記受信手段により受信した前記編集指示情報に従って編集する編集手段と、
　前記編集手段により編集又は編集し直した前記合成画像と、前記クライアントによる印刷発注指示が可能な操作部を構成する操作画面とを、前記クライアントのＷＥＢブラウザ上で表示可能なＷＥＢコンテンツの形態で該クライアントへ送信する第２送信手段と、
　編集が確定された後の前記合成画像に基づく発注の指示を前記クライアントより受信した場合に、前記印刷画像の印刷に係る情報を保存する処理を実行する実行手段と
　を備えること特徴とするサーバ。」 
 　 
第３　当審の拒絶理由通知について
　平成２２年１１月１１日付け拒絶理由通知書に記載した拒絶理由の概要は次のとおりである。
　
「１）この出願の下記の請求項に係る発明は、その出願前日本国内又は外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。 
・請求項１〜１２
・引用文献等　１（特開２００１−１９７２３０号公報）
　
２）この出願の下記の請求項に係る発明は、その出願の日前の特許（実用新案登録）出願であって、その出願後に出願公告（特許掲載公報の発行又は実用新案掲載公報の発行）又は出願公開がされた下記の特許（実用新案登録）出願の願書に最初に添付された明細書又は図面に記載された発明（考案）と同一であり、しかも、この出願の発明者がその出願前の特許（実用新案登録）出願に係る上記の発明（考案）をした者と同一ではなく、またこの出願の時において、その出願人が上記特許（実用新案登録）出願の出願人と同一でもないので、特許法第２９条の２の規定により、特許を受けることができない。 
・請求項１〜１２
・引用文献等　２（特願２０００−３８５５５６号（特開２００２−１８３５３８号公報））
　
３）この出願は、特許請求の範囲の記載が下記の点で、特許法第３６条第６項第２号に規定する要件を満たしていない。
・請求項１２ 
・備考 
 　請求項１２には、クライアントが果たす「第１送信工程」という機能と、サーバが果たす「管理工程」、「第２送信工程」、「編集工程」、「第３送信工程」、「実行工程」という複数の機能とにより特定される「プログラム」が記載されている。 
 　ところで、一般的には、クライアントとサーバは別個のコンピュータにより構成されていることから、クライアント用プログラムとサーバ用プログラムについても、それぞれ別個のプログラムと考えるのが普通である。 
 　そうすると、クライアントとサーバの機能を混在させた「プログラム」として発明を特定した請求項１２からは、一つのまとまった「プログラム」の発明を明確に把握することができない。 」
　
　この拒絶理由通知に対して、平成２３年１月１４日付けの手続補正により請求項１２が削除されて理由３が解消されたため、以下では理由１と理由２について検討する。
　
第４　理由２について（特許法第２９条の２）
　
１　引用文献について 
 　引用文献２　特願２０００−３８５５５６号（特開２００２−１８３５３８号公報）
　
　平成２２年１１月１１日付けの拒絶理由通知において引用文献２として引用された、本願の出願の日前の特許出願であって、その出願後に出願公開された特願２０００−３８５５５６号（特開２００２−１８３５３８号公報）の願書に最初に添付された明細書又は図面には、次の事項が記載されている。なお、下線は当審において付加したものである。
　
・【特許請求の範囲】
「【請求項１】 情報を入出力することができる消費者端末と、
画像提供者によって提供される提供画像の画像データを記憶する提供画像記憶手段と、
前記
消費者端末
とインターネットを介して接続された処理サーバと、を備え、前記処理サーバは
消費者によって提供されるユーザ画像の画像データを記憶するユーザ画像記憶手段と、
商品の画像データを記憶する商品画像記憶手段と
前記消費者端末からの検索指示により、当該検索指示に合致する提供画像の画像データを前記提供画像記憶手段から検索する提供画像検索手段と、
前記提供画像検索手段によって検索された１つ又は複数の提供画像の画像データ、又は１つ又は複数のユーザ画像の画像データを、前記提供画像記憶手段又は前記ユーザ画像記憶手段から読み出し、当該画像データに基く１つ又は複数の画像を所定の形式で前記消費者端末に表示させる画像表示手段と、
　前記
画像表示手段によって前記消費者端末に表示された前記画像の中からの前記消費者による画像の選択を受け付ける画像選択手段
　
１つ又は複数の商品の一覧を前記消費者端末に表示させ、当該商品の中からの前記消費者による商品の選択を受け付ける商品選択手段
　
前記画像選択手段によって選択された画像の画像データと、前記商品選択手段によって選択された商品の画像データとを所定の方法で処理することにより、当該画像がプリントされた当該商品のイメージを表わす合成画像を生成する画像合成手段
　
当該画像合成手段によって生成された当該合成画像を前記消費者端末に表示させる合成画像表示手段
　
前記消費者端末に表示された前記合成画像が表わす商品についての注文を前記消費者端末を通じて受け付ける商品注文取得手段
【請求項２】 前記処理サーバは、
前記消費者によって提供されるユーザ画像の画像データを前記消費者端末を通じて取得するユーザ画像取得手段
前記ユーザ画像記憶手段は、当該ユーザ画像取得手段によって取得されるユーザ画像の画像データを記憶することを特徴とする請求項１に記載のカスタムメイド商品販売システム。
【請求項３】 前記処理サーバは、
前記画像選択手段によって選択された画像の画像データを前記消費者端末を通じて編集させる画像編集手段
　
　「【０００１】本発明は、商品販売システムに関し、より詳しくは、消費者の所望の画像をプリントしたカスタムメイド商品をインターネットを通じて販売するカスタムメイド商品販売システムに関する。」
　
　「【０００２】近年の消費者のオリジナル志向の高まりにつれて、既製の商品にはないオリジナリティを有するカスタムメイド商品の人気が高まりつつある。
カスタムメイド商品とは、広義には、その形・デザイン・機能のような基本的な設計要素を消費者が自己の設計又は選択によって製作させる商品をいう場合もあるが、ここで言うカスタムメイド商品は、原型となる既製の商品に、消費者が提供又は選択したデザインを施した商品、一般的には、消費者が提供又は選択した画像等をプリントした商品のことであり、商品の種類としては、Tシャツ、トレーナー、バッグ、タイル、マグカップ、皿、マウスパッド、タペストリーなどがある。
　
　「【００１３】
処理サーバＡ ２は、商品販売者が管理する、カスタムメイド商品販売に関する各種の機能を実行するサーバである
処理サーバＡ ２は、本発明の各種の手段又はステップによる機能を実行するためのWebページを提供するWebサイト（以下、「本Webサイト」と称する）をインターネットのWWW上に提供するWWWサーバとしても機能する。
　
　「【００１６】ユーザ画像データファイル５は、消費者から提供された画像データを含むデータファイルである（請求項に記載の「ユーザ画像記憶手段」が該当する）。消費者は、インターネット経由で画像データをカスタムメイド商品販売システム１に送信することができるし、また、画像データを記録したフロッピー（登録商標）ディスク、MOディスク等を商品販売者に郵送等で送付して、その画像データをユーザ画像データファイル５に記憶させることもできる。また消費者は、画像データにしたい写真・イラスト等を郵送などで商品販売者に送付し、商品販売者の有する画像読取装置Ａ １０によって読み取らせることによって画像データを生成させることもできる。
ユーザ画像データは、消費者端末１６からの指定により、商品にプリントする画像を生成するために使用される。」
　
　「【００３９】
消費者は、選択した画像を確認後、その画像を確定するためには、画面上の「PRINT」ボタン８０１を選択する。「PRINT」ボタン８０１が画面上で選択されると、消費者端末１６は、その選択を処理サーバＡ ２に送信する（ステップS123）。処理サーバＡ ２は、その選択を受信すると、「商品選択」画面を消費者端末１６に送信する（ステップS124）
処理サーバＡ ２は、その選択を受信すると、「SAMPLE」ボタン９０１に対応する商品「Tシャツ」の商品画像データを商品情報データファイル６から検索する。処理サーバＡ ２は、検索された商品画像データが表わす画像を表示する「商品サンプル」画面を消費者端末１６に送信する（ステップS127）
　
　「【００４０】商品の確認後、画面上の「閉じる」ボタンを選択することによって「商品サンプル」画面のウィンドウが閉じられ、今まで背面にあった、図９に示す「商品選択」画面が表示される。
消費者が商品として「Tシャツ」を選択するために、Tシャツの「商品名」ボタン９０２を画面上で選択すると、消費者端末１６はその選択を処理サーバＡ ２に送信する（ステップS129）。処理サーバＡ ２は、その選択を受信すると（この機能は請求項に記載の「商品選択手段」に該当する）、「画像組合わせ商品」画面を消費者端末１６に送信する（ステップS130）
「出来上がり予想図」画面には、選択された画像がプリントされた商品の画像イメージ及び商品のサイズ（寸法）の情報が表示され
画面上で変更した画像の位置・大きさは、処理サーバＡ ２に送信される
　
　「【００４１】
出来上がり予想図の確認後、画面上の「閉じる」ボタンを選択することによって「出来上がり予想図」画面のウィンドウが閉じられ、今まで背面にあった、図１１に示す「画像組合わせ商品」画面が表示される。消費者が商品を注文するためには、画面上の「注文データ入力欄」１１０１に注文データを入力する
理サーバＡ ２は、注文データを受信し、それに基いて、ＤＢサーバＡ ３が管理する受注情報データファイル８を更新する
　
　そうすると、引用文献２の上記摘記事項及び図面１〜１２から、引用文献２には次の発明（引用発明２）が記載されていると認められる。なお、括弧内のステップ番号は、引用文献２の図３に示されたフローチャートに示されたステップ番号を参考までに記載したものである。
　
　「消費者端末とインターネットを介して接続された処理サーバであって、カスタムメイド商品販売に関する各種の機能を実行し、ＷＷＷサーバとしても機能する処理サーバにおいて、
　上記処理サーバは、
　商品の画像データを記憶する商品画像記憶手段（６）と、
　前記消費者によって提供されるユーザ画像の画像データを前記消費者端末を通じて取得するユーザ画像取得手段（ステップＳ１１２）と、
　画像表示手段によって前記消費者端末に表示された画像の中からの前記消費者による画像の選択を受け付ける画像選択手段（ステップＳ１２０）と、
　１つ又は複数の商品の一覧を前記消費者端末に表示させ、当該商品の中からの前記消費者による商品の選択を受け付ける商品選択手段であって、消費者による「ＳＡＭＰＬＥ」ボタンの選択（Ｓ１２６）を受信すると前記商品画像記憶手段（６）を検索して、「商品サンプル」画面を消費者端末に送信する手段（ステップＳ１２７）を含み、
　前記画像選択手段によって選択された画像の画像データと、前記商品選択手段によって選択された商品の画像データとを所定の方法で処理することにより、当該画像がプリントされた当該商品のイメージを表わす合成画像を生成する画像合成手段と、当該画像合成手段によって生成された当該合成画像イメージを含む「出来上がり予想図」を前記消費者端末に表示させる合成画像表示手段（ステップＳ１３３）と、
　前記画像選択手段によって選択された画像の画像データを前記消費者端末を通じて編集させる画像編集手段であって、「出来上がり予想図」画面に選択された画像がプリントされた商品の画像イメージを表示し、画面上で変更した画像の位置・大きさが処理サーバに送信されるようにした手段と、
　「出来上がり予想図」の確認後、「注文データ入力欄」を含む「画像組合わせ商品」画面を表示する手段と、
　前記消費者端末に表示された前記合成画像が表わす商品についての注文を前記消費者端末を通じて受け付ける商品注文取得手段であって、注文データを受信し、それに基づいて受注情報データファイル８を更新する手段と、
を備えることを特徴とする処理サーバ。」
　
２　対比、判断
　本願発明と引用発明２を対比する。
　
（ア）本願発明の「サーバ」について
　引用発明２における「消費者端末とインターネットを介して接続された処理サーバ」は、「カスタムメイド商品販売に関する各種の機能を実行」するものであり、また、「カスタムメイド商品とは、原型となる既成の商品に、消費者が提供又は選択したデザインを施した商品、一般的には、消費者が提供又は選択した画像等をプリントした商品のこと」（引用文献２の【０００２】段落）であることを考慮すると、引用発明２における上記「処理サーバ」は、印刷画像の処理を実行していることは明らかである。
　そうすると、引用発明２における「消費者端末とインターネットを介して接続された処理サーバであって、カスタムメイド商品販売に関する各種の機能を実行し、ＷＷＷサーバとしても機能する処理サーバ」は、本願発明における「ネットワークを介してクライアントから受信する情報に基づいて印刷画像の処理を実行するサーバ」に対応している。
　
（イ）本願発明の「画像データベース」について
　引用発明２における「商品」と「商品の画像データ」は、本願発明における「印刷媒体」と「印刷媒体画像」に対応している。
　そうすると、引用発明２における「商品の画像データを記憶する商品画像記憶手段（６）」は、本願発明における「複数種類の印刷媒体それぞれを示す印刷媒体画像を記憶する画像データベース」に対応している。
　
（ウ）本願発明の「受信手段」について
　引用発明２における「ユーザ画像取得手段」が取得する「ユーザ画像の画像データ」は、引用文献２【００１６】段落に記載されるように、「消費者端末１６からの指定により、商品にプリントする画像を生成するために使用される」ものであることから、本願発明における「印刷媒体に印刷する印刷画像」に対応している。
　また、引用発明２における「商品選択手段」は、「消費者による「ＳＡＭＰＬＥ」ボタンの選択」を受信すると、商品画像記憶手段（６）を検索して、「商品サンプル」画面を消費者端末１に送信していることから、当該「消費者による「ＳＡＭＰＬＥ」ボタンの選択」は、本願発明における「印刷画像が印刷される印刷媒体を前記画像データベースに記憶された前記複数種類の印刷媒体画像の中から指定する指定情報」に対応している。
　さらに、引用発明２における「画像編集手段」は、「画面上で変更した画像の位置・大きさが処理サーバに送信されるように」構成されており、当該「画像の位置・大きさ」により合成画像の編集が行われることから、当該「画像の位置・大きさ」は、本願発明における「合成画像に対する編集指示情報」に対応している。
　そうすると、引用発明２において、上記「ユーザ画像取得手段」が「ユーザ画像の画像データ」を受信し、「商品選択手段」が「消費者による「ＳＡＭＰＬＥ」ボタンの選択」を受信し、「画像編集手段」が「画像の位置・大きさ」を受信するという事項は、本願発明における「前記印刷媒体に印刷する印刷画像と、該印刷画像が印刷される印刷媒体を前記画像データベースに記憶された前記複数種類の印刷媒体画像の中から指定する指定情報と、合成画像に対する編集指示情報とを前記クライアントより受信する受信手段」に対応している。
　
（エ）本願発明の「第１送信手段」について
　引用発明２における「商品選択手段」は、「消費者が「ＳＡＭＰＬＥ」ボタンを画面上で選択すると「商品サンプル」画面を消費者端末に送信」しており、また、引用発明２における「処理サーバ」はＷＷＷサーバとしても機能することから、引用発明２におけるこれら事項は、本願発明における「印刷媒体を指定する前記指定情報により選択又は選択し直された印刷媒体画像を、前記クライアントのＷＥＢブラウザ上で表示可能なＷＥＢコンテンツの形態で該クライアントへ送信する第１送信手段」に対応している。
　
（オ）本願発明の「生成手段」について
　引用発明２では、「ＳＡＭＰＬＥ」ボタンの選択により商品が選択された後に「画像合成手段」による画像合成が行われることから、引用発明２の「画像合成手段」により処理される「前記商品選択手段によって選択された商品の画像データ」は、本願発明における「前記クライアントから受信した前記指定情報に対応して選択が確定された後の印刷媒体画像」に対応している。
　また、引用発明２の「画像合成手段」により処理される「前記画像選択手段によって選択された画像の画像データ」は、「ユーザ画像取得手段」により取得された「消費者によって提供されたユーザ画像の画像データ」から選択されたものであるから、本願発明における「クライアントから受信した印刷画像」に対応している。
　さらに、引用発明２における「当該画像合成手段によって生成された当該合成画像イメージを含む「出来上がり予想図」を前記消費者端末に表示させる合成画像表示手段（ステップＳ１３３）」は、本願発明における「前記合成画像を前記クライアントのＷＥＢブラウザ上で表示可能なＷＥＢコンテンツの形態で該クライアントへ送信する」という事項に対応している。
　そうすると、引用発明２における「前記画像選択手段によって選択された画像の画像データと、前記商品選択手段によって選択された商品の画像データとを所定の方法で処理することにより、当該画像がプリントされた当該商品のイメージを表わす合成画像を生成する画像合成手段と、当該画像合成手段によって生成された当該合成画像イメージを含む「出来上がり予想図」を前記消費者端末に表示させる合成画像表示手段（ステップＳ１３３）」は、本願発明における「前記クライアントから受信した前記指定情報に対応して選択が確定された後の印刷媒体画像と、前記クライアントから受信した前記印刷画像との合成画像を、生成するとともに、前記合成画像を前記クライアントのＷＥＢブラウザ上で表示可能なＷＥＢコンテンツの形態で該クライアントへ送信する生成手段」に対応している。
　
（カ）本願発明の「編集手段」について
　引用発明２における「前記画像選択手段によって選択された画像の画像データを前記消費者端末を通じて編集させる画像編集手段であって、「出来上がり予想図」画面に選択された画像がプリントされた商品の画像イメージを表示し、画面上で変更した画像の位置・大きさが処理サーバに送信されるようにした手段」は、上記（ウ）に示した「編集指示情報」についての対応関係も考慮すれば、本願発明における「前記生成手段で生成した合成画像を、前記受信手段により受信した前記編集指示情報に従って編集する編集手段」に対応している。
　
（キ）本願発明の「第２送信手段」について
　引用発明２の「画像編集手段」における「「出来上がり予想図」画面に選択された画像がプリントされた商品の画像イメージを表示し、画面上で変更した画像の位置・大きさが処理サーバに送信される」との事項は、本願発明における「前記編集手段により編集又は編集し直した前記合成画像」を「前記クライアントのＷＥＢブラウザ上で表示可能なＷＥＢコンテンツの形態で該クライアントへ送信する」との事項を含んでいる。
　また、引用発明２の「「出来上がり予想図」の確認後、「注文データ入力欄」を含む「画像組合わせ商品」画面を表示する手段」との事項は、本願発明における「前記クライアントによる印刷発注指示が可能な操作部を構成する操作画面を、前記クライアントのＷＥＢブラウザ上で表示可能なＷＥＢコンテンツの形態で該クライアントへ送信する」との事項を含んでいる。
　そうすると、引用発明２における「前記画像選択手段によって選択された画像の画像データを前記消費者端末を通じて編集させる画像編集手段であって、「出来上がり予想図」画面に選択された画像がプリントされた商品の画像イメージを表示し、画面上で変更した画像の位置・大きさが処理サーバに送信されるようにした手段」と、「「出来上がり予想図」の確認後、「注文データ入力欄」を含む「画像組合わせ商品」画面を表示する手段」という事項は、本願発明における「前記編集手段により編集又は編集し直した前記合成画像と、前記クライアントによる印刷発注指示が可能な操作部を構成する操作画面とを、前記クライアントのＷＥＢブラウザ上で表示可能なＷＥＢコンテンツの形態で該クライアントへ送信する第２送信手段」を含んでいる。
　
（ク）本願発明の「実行手段」について
　引用発明２における「前記消費者端末に表示された前記合成画像が表わす商品についての注文を前記消費者端末を通じて受け付ける商品注文取得手段であって、注文データを受信し、それに基づいて受注情報データファイル８を更新する手段」は、本願発明における「編集が確定された後の前記合成画像に基づく発注の指示を前記クライアントより受信した場合に、前記印刷画像の印刷に係る情報を保存する処理を実行する実行手段」に対応している。
　
　以上によれば、本願発明と引用発明２とは、次の点で一致している。
　
　「ネットワークを介してクライアントから受信する情報に基づいて印刷画像の処理を実行するサーバであって、
　複数種類の印刷媒体それぞれを示す印刷媒体画像を記憶する画像データベースと、
　前記印刷媒体に印刷する印刷画像と、該印刷画像が印刷される印刷媒体を前記画像データベースに記憶された前記複数種類の印刷媒体画像の中から指定する指定情報と、合成画像に対する編集指示情報とを前記クライアントより受信する受信手段と、
　印刷媒体を指定する前記指定情報により選択又は選択し直された印刷媒体画像を、前記クライアントのＷＥＢブラウザ上で表示可能なＷＥＢコンテンツの形態で該クライアントへ送信する第１送信手段と、
　前記クライアントから受信した前記指定情報に対応して選択が確定された後の印刷媒体画像と、前記クライアントから受信した前記印刷画像との合成画像を、生成するとともに、前記合成画像を前記クライアントのＷＥＢブラウザ上で表示可能なＷＥＢコンテンツの形態で該クライアントへ送信する生成手段と、
　前記生成手段で生成した合成画像を、前記受信手段により受信した前記編集指示情報に従って編集する編集手段と、
　前記編集手段により編集又は編集し直した前記合成画像と、前記クライアントによる印刷発注指示が可能な操作部を構成する操作画面とを、前記クライアントのＷＥＢブラウザ上で表示可能なＷＥＢコンテンツの形態で該クライアントへ送信する第２送信手段と、
　編集が確定された後の前記合成画像に基づく発注の指示を前記クライアントより受信した場合に、前記印刷画像の印刷に係る情報を保存する処理を実行する実行手段と
を備えること特徴とするサーバ。」
　
　一方、本願発明と引用発明２とは、次の点で一応相違している。
　
　本願発明では、「前記印刷媒体画像の確定後に」前記クライアントから受信した前記印刷画像との合成画像を、「該印刷画像を受信することに基づいて生成」しているのに対し、引用発明では、「ユーザ画像の画像データ」の受信後に、「商品の画像データ」との合成画像を、該商品の画像データが確定したことに基づいて生成している点。
　
　しかしながら、引用発明２において、「ユーザ画像の画像データ」と「商品の画像データ」から合成画像を生成するにあたり、これら画像データのいずれを先に準備しておくかは、上記合成画面を生成するための具体化手段を設計する際の微差にすぎず、この具体化手段における微差により新たな効果を奏するものでもない。
　
　したがって、本願発明の発明特定事項と引用発明２の引用発明特定事項とに一応相違があるとしても、それらが課題解決のための具体化手段における微差であり、両者は実質的に同一である。
　
　ところで、審判請求人は、平成２３年１月１４日付け意見書において、「これにより、本願発明で示される処理順序に従えば、例えば、サイズの異なるＴシャツ（印刷媒体）があるならば、ユーザは自身が持っている色々な画像（印刷画像）を試すことができ、ユーザの選択肢を広げることが可能となります。すなわち、印刷媒体を確定後に印刷画像を受信することに基づいて、プリントサービスを利用するユーザの要望をより広範囲に受け付けることができる。という格別の効果を奏するものです。」と主張している。
　しかしながら、「例えば、サイズの異なるＴシャツ（印刷媒体）があるならば、ユーザは自身が持っている色々な画像（印刷画像）を試すこと」は、印刷媒体画像の確定後よりも、印刷媒体画像と印刷画像との合成画像を生成した後に行った方がより効果的なことは明らかであり、「印刷媒体を確定後に印刷画像を受信することに基づいて、プリントサービスを利用するユーザの要望をより広範囲に受け付けることができる。という格別の効果を奏する」という主張を採用することはできない。
　
　また、審判請求人は、平成２３年１月１４日付け意見書において、「引用発明２は、合成対象となる画像（ユーザ画像）を受信しますが、これは予めすべてサーバ側で保持し、保持した画像をサムネイル形式でクライアントに表示して、クライアントがサムネイルの中から画像の選択をして合成するものであります。つまり、引用文献２は、本願発明の特徴的な構成（ｃ）のように、サムネイルの中から選択して合成するものではなく合成の対象となる印刷画像を受信することに基づいて合成画像を生成するものとは異なります。」と主張している。
　確かに、引用発明２では、「画像表示手段によって消費者端末に表示された画像の中からの前記消費者による画像の選択を受け付ける画像選択手段」を備えているが、上記（オ）でも示したように、引用発明２における「画像選択手段によって選択された画像の画像データ」は、本願発明における「クライアントから受信した印刷画像」に対応しており、合成の対象となる印刷画像を受信することに基づいて合成画像を生成しているという点では、本願発明と相違するものではない。
　
 ５　小括
　よって、本願発明は、その出願の日前の特許出願であって、その出願後に出願公開された引用文献２の特許出願の願書に最初に添付された明細書又は図面に記載された発明と同一であり、しかも、この出願の発明者がその出願前の特許出願に係る上記の発明をした者と同一ではなく、またこの出願の時において、その出願人が上記特許出願の出願人と同一でもないので、特許法第２９条の２の規定により特許を受けることができない。
　
　
 第５　理由１について（特許法第２９条第２項）  
　
１　引用文献について 
 　引用文献１　特開２００１−１９７２３０号公報（平成１３年７月１９日出願公開）
　
　平成２２年１１月１１日付けの拒絶理由通知において引用された上記引用文献１には、次の事項が記載されている。なお、下線は当審において付加したものである。
　
・【発明の属する技術分野】
「【０００１】本発明は、クライアントにおいて画像の編集指示を行い、この編集指示に基づいてサーバにおいて画像を編集する画像編集システム、画像編集方法および画像編集方法をコンピュータに実行させるためのプログラムを記録したコンピュータ読取り可能な記録媒体に関するものである。」
　
・【課題を解決するための手段】
　「【０００６】本発明による画像編集方法は、
画像データに対して編集指示を行うための編集指示装置を有するクライアントと、該クライアントとネットワークを介して接続され、前記編集指示装置による編集指示に基づいて、前記画像データの編集処理を行って処理済み画像データを得る編集処理装置を有し、前記画像データに関する所定画像データを前記クライアントに転送する画像サーバとを備えた画像編集システム
　「【０００７】「
編集処理」としては、画像データに対して施すことが可能な画像処理であり、具体的には赤目処理、シャープネス強調処理、色変換処理、トリミング処理、拡大縮小処理の他、画像に白縁を付ける処理、画像に波模様を形成する処理等が挙げられる。また、画像データがテンプレートデータやユーザ画像データとテンプレートデータとの合成データである場合には、上記画像処理に加えて、ユーザ画像やクリップアートなどの画像や文字をテンプレートに挿入する処理が挙げられる。
　
・【発明の実施の形態】
　「【００３２】
ラボ２は、画像サーバとしてプリント出力を実施するシステム
ユーザ１が持ち込んだフイルムから画像を読み取って高解像度の画像データＳ０を得る読取手段４
データベース５にはユーザの画像と組み合わせてポストカードなどを作成するためのテンプレートを表すテンプレートデータＴ（以下テンプレートをＴで表すこともある）、およびテンプレートＴに挿入するクリップアートを表すデータが保管されている。
　「【００３４】次いで、本実施形態の動作について説明する。図２は本実施形態の動作を示すフローチャートである。なお、ユーザの画像は読取手段４において既に読み取られてデータベース５に保管されているものとする。また、本実施形態においては、図３に示すテンプレートＴの領域Ａ１にユーザ画像を、領域Ａ２にクリップアートを、領域Ａ３に文字を挿入して処理済み画像を得る処理を行うものとし、ユーザ１のパソコン１０には、データベース５に保管された複数のテンプレートデータＴおよびクリップアートのデータを表すサムネイル画像、およびユーザ画像のサムネイル画像が既に転送されているものとする。まず、ユーザ１はパソコン１０によりユーザ画像の編集開始の指示をラボ２に転送する（ステップＳ１）。ここで
、パソコン１０には予めデータベース５に保管された複数のテンプレートデータＴのサムネイル画像が転送されているため、ユーザ１は所望とするテンプレートをサムネイル画像から選択して編集開始というコマンドをラボ２に送信することにより、編集開始の指示が行われる。
　「【００３５】
ラボ２はこの編集開始指示を受けると、画像編集手段７がテンプレートＴを表すテンプレートデータＴをデータベース５から読出して（ステップＳ２）、これを低容量データ生成手段９に入力し、ここでテンプレートデータＴの低容量データＭＬが生成される（ステップＳ３）。低容量データＭＬは低解像度のデータから順に入出力手段６を経てユーザ１のパソコン１０に転送される（ステップＳ４）
ユーザ１は表示されたテンプレートを確認し、編集対象の１つをラボ２に問い合わせるとステップＳ６が肯定される。
　「【００３６】ラボ２は編集対象の問い合わせを受けると、全解像度のデータの転送が未了であっても低容量データＭＬの転送を中止し（ステップＳ７）、さらに転送の再開指示があったか否かを判断する（ステップＳ８）。ステップＳ８が肯定された場合にはステップＳ４に戻り、引き続き低容量データＭＬの転送を行う。ステップＳ８が否定された場合には、
編集処理手段７が問い合わせのあった編集対象に対応した編集情報をパソコン１０に転送する（ステップＳ９）
　「【００３７】
編集が終了すると編集指示情報Ｈが生成され（ステップＳ１１）、これがラボ２に転送される（ステップＳ１２）
編集指示情報Ｈには、変更後の領域Ａ１の位置を表す情報および挿入するユーザ画像のファイル名が含まれる。
　「【００３８
】ラボ２は編集指示情報Ｈの転送を受けると、これに基づいて編集処理手段７において、テンプレートＴの領域Ａ１を変形するとともに、領域Ａ１に指定されたユーザ画像を挿入する編集処理を行って（ステップＳ１３）、中間処理済み画像データＭ０を生成する（ステップＳ１４）。
低容量データ生成手段９において中間処理済み画像データＭ０の低容量データＭＬが生成され（ステップＳ１５）、低解像度のデータから順にパソコン１０に転送される（ステップＳ１６）
　「【００４３】そして、
全ての編集対象について編集処理が終了するとステップＳ２１が肯定され、さらに表示された画像がこれでＯＫであるという指示がなされるとステップＳ２２が肯定され、ラボ２において中間処理済み画像データＭ２が処理済み画像データＳ１とされ、処理済み画像データＳ１がプリントされて（ステップＳ２３）、処理を終了する。
　「【００５１】なお、上記実施形態においてはユーザ１のパソコン１０に編集指示情報Ｈを生成するためのソフトウェアが既にインストールされている場合について説明したが、編集開始指示によりこのソフトウェアをラボ２からユーザ１のパソコン１０にダウンロードさせるようにしてもよい。この場合、このソフトウェアとしてはＪａｖａアプレットを用いることができる。すなわち、
ラボ２をＷｅｂサーバとし、ユーザ１が編集を行う際にはパソコン１０のＷｅｂブラウザにより、ラボ２のｈｔｍｌファイルにアクセスするようにする。
　
　そうすると、引用文献１には、次の発明（以下、引用発明１という。）が記載されている。なお、括弧内のステップ番号は、引用文献１の図２のフローチャートに示されたステップ番号を参考までに記載したものである。
　
　「画像データに対して編集指示を行うための編集指示装置を有するクライアントと、該クライアントとネットワークを介して接続され、前記編集指示装置による編集指示に基づいて、前記画像データの編集処理を行って処理済み画像データを得る編集処理装置を有し、前記画像データに関する所定画像データを前記クライアントに転送する画像サーバとを備えた画像編集システムにおいて、
　画像サーバとしてプリント出力を実施するシステムであるラボ２は、
　ユーザの画像と組み合わせてポストカードなどを作成するためのテンプレートを表すテンプレートデータＴ等が保管されているデータベース５と、
　ユーザ１が持ち込んだフイルムから画像を読み取って高解像度の画像データＳ０を得る読取手段４と、を備え、
　ユーザ１は、所望とするテンプレートをサムネイル画像から選択して編集開始というコマンドをラボ２に送信することにより、編集開始の指示を行い（ステップＳ１）、
　ラボ２は、ユーザ１からの編集開始指示を受けると、画像編集手段７がテンプレートＴを表すテンプレートデータＴをデータベース５から読出して（ステップＳ２）、低容量データＭＬを生成し（ステップＳ３）、入出力手段６を経てユーザ１のパソコン１０に転送し（ステップＳ４）、
　ユーザ１は、表示されたテンプレートを確認し、編集対象の１つをラボ２に問い合わせるとステップＳ６が肯定され（ステップＳ６）、
　ラボ２では、編集処理手段７が問い合わせのあった編集対象に対応した編集情報をパソコン１０に転送し（ステップＳ９）、
　ユーザ１は、編集が終了すると、変更後の領域Ａ１の位置を表す情報および挿入するユーザ画像のファイル名を含む編集指示情報Ｈを生成し（ステップＳ１１）
　ラボ２は、ユーザ１からの編集指示情報Ｈの転送（ステップＳ１２）を受けると、これに基づいて編集処理手段７において、テンプレートＴの領域Ａ１を変形するとともに、領域Ａ１に指定されたユーザ画像を挿入する編集処理を行って（ステップＳ１３）、中間処理済み画像データＭ０の低容量データＭＬをパソコン１０に転送し（ステップＳ１４〜Ｓ１６）、
　ラボ２では、全ての編集対象について編集処理が終了し（ステップＳ２１）、表示された画像がこれでＯＫであるという指示がなされると（ステップＳ２２）、中間処理済み画像データＭ２が処理済み画像データＳ１とされ、処理済み画像データＳ１がプリントされて（ステップＳ２３）、処理を終了する
ことを特徴とする画像編集システム。」
　
２　対比
　本願発明と引用発明１とを対比する。
　
（ア）本願発明の「サーバ」について
　引用発明１における「画像サーバ（ラボ２）」は、「画像データの編集処理を行って処理済み画像データを得る編集処理装置を有し」ている。また、「編集処理」には、「画像データがテンプレートデータやユーザ画像データとテンプレートデータとの合成データである場合には、ユーザ画像やクリップアートなどの画像や文字をテンプレートに挿入する処理」（引用文献１【０００７】段落）が含まれることから、引用発明１における「画像データの編集処理」は、本願発明における「印刷画像の処理」に対応している。
　そうすると、引用発明１における「クライアントとネットワークを介して接続され、前記編集指示装置による編集指示に基づいて、前記画像データの編集処理を行って処理済み画像データを得る編集処理装置を有し、前記画像データに関する所定画像データを前記クライアントに転送する画像サーバ」は、本願発明における「ネットワークを介してクライアントから受信する情報に基づいて印刷画像の処理を実行するサーバ」に対応している。
　
（イ）本願発明の「画像データベース」について
　引用発明１における「ユーザの画像と組み合わせてポストカードなどを作成するためのテンプレート」と当該テンプレートを表す「テンプレートデータＴ」は、本願発明における「印刷媒体」と「印刷媒体画像」に対応している。
　そうすると、引用発明１における「ユーザの画像と組み合わせてポストカードなどを作成するためのテンプレートを表すテンプレートデータＴ等が保管されているデータベース５」は、本願発明における「複数種類の印刷媒体それぞれを示す印刷媒体画像を記憶する画像データベース」に対応している。
　
（ウ）本願発明の「受信手段」について
　引用発明１における「テンプレート」は、上記（イ）で示したように本願発明における「印刷媒体」に対応しており、「サムネイル画像」はデータベース５に保管された複数のテンプレートデータＴのサムネイル画像を意味している（引用文献１【００３４】段落）ことから、引用発明１における「テンプレートをサムネイル画像から選択」という事項は、本願発明における「該印刷画像が印刷される印刷媒体を前記画像データベースに記憶された前記複数種類の印刷媒体画像の中から指定」という事項に対応している。
　そうすると、引用発明１における「ユーザ１は、所望とするテンプレートをサムネイル画像から選択して編集開始というコマンドをラボ２に送信することにより、編集開始の指示を行い（ステップＳ１）」という事項において、「編集開始の指示」は、「テンプレートをサムネイル画像から選択」する情報を含んでいる点において、本願発明における「該印刷画像が印刷される印刷媒体を前記画像データベースに記憶された前記複数種類の印刷媒体画像の中から指定する指定情報」と共通している。
　また、引用発明１における「編集指示情報Ｈ」は、「変更後の領域Ａ１の位置を表す情報」を含んでいる点において、本願発明における「合成画像に対する編集指示情報」と共通している。
　以上より、引用発明１において、ラボ２が「編集開始の指示」と「編集指示情報Ｈ」をユーザ１より受信するという事項は、本願発明における「該印刷画像が印刷される印刷媒体を前記画像データベースに記憶された前記複数種類の印刷媒体画像の中から指定する指定情報と、合成画像に対する編集指示情報とを前記クライアントより受信する受信手段」に対応している。
　
（エ）本願発明の「第１送信手段」について
　引用発明１の「ユーザ１からの編集開始指示を受けると、画像編集手段７がテンプレートＴを表すテンプレートデータＴをデータベース５から読出して（ステップＳ２）、低容量データＭＬを生成し（ステップＳ３）、入出力手段６を経てユーザ１のパソコン１０に転送し（ステップＳ４）」との事項において、上記（ウ）で示したように、「編集開始指示」は本願発明における「印刷媒体を指定する指定情報」に対応しており、また、「ラボ２をＷｅｂサーバとし、ユーザ１が編集を行う際にはパソコン１０のＷｅｂブラウザにより、ラボ２のｈｔｍｌファイルにアクセスするようにする」（引用文献１【００５１】段落）ことも想定されている。
　そうすると、引用発明１における「ユーザ１からの編集開始指示を受けると、画像編集手段７がテンプレートＴを表すテンプレートデータＴをデータベース５から読出して（ステップＳ２）、低容量データＭＬを生成し（ステップＳ３）、入出力手段６を経てユーザ１のパソコン１０に転送し（ステップＳ４）」との事項は、本願発明における「印刷媒体を指定する前記指定情報により選択又は選択し直された印刷媒体画像を、前記クライアントのＷＥＢブラウザ上で表示可能なＷＥＢコンテンツの形態で該クライアントへ送信する第１送信手段」に相当している。
　
（オ）本願発明の「生成手段」について
　引用発明１における「ユーザ１は、表示されたテンプレートを確認し、編集対象の１つをラボ２に問い合わせるとステップＳ６が肯定され（ステップＳ６）」との事項は、本願発明における「前記クライアントから受信した前記指定情報に対応して選択が確定された後」に対応している。
　また、引用発明１における「ラボ２は、ユーザ１からの編集指示情報Ｈの転送（ステップＳ１２）を受けると、これに基づいて編集処理手段７において、テンプレートＴの領域Ａ１を変形するとともに、領域Ａ１に指定されたユーザ画像を挿入する編集処理を行って（ステップＳ１３）」との事項は、本願発明における「印刷媒体画像と、前記印刷画像との合成画像を、生成する」との事項に対応している。
　さらに、引用発明１における「中間処理済み画像データＭ０の低容量データＭＬをパソコン１０に転送し（ステップＳ１４〜Ｓ１６）」との事項は、本願発明における「前記合成画像を該クライアントへ送信する」との事項に対応している。
　そうすると、引用発明１における「ユーザ１は、表示されたテンプレートを確認し、編集対象の１つをラボ２に問い合わせるとステップＳ６が肯定され（ステップＳ６）」、「ユーザ１からの編集指示情報Ｈの転送（ステップＳ１２）を受けると、テンプレートＴの領域Ａ１を変形するとともに、領域Ａ１に指定されたユーザ画像を挿入する編集処理を行って（ステップＳ１３）」、「中間処理済み画像データＭ０の低容量データＭＬをパソコン１０に転送し（ステップＳ１４〜Ｓ１６）」との事項は、本願発明における「前記クライアントから受信した前記指定情報に対応して選択が確定された後の印刷媒体画像と、前記印刷画像との合成画像を、生成するとともに、前記合成画像を前記クライアントのＷＥＢブラウザ上で表示可能なＷＥＢコンテンツの形態で該クライアントへ送信する生成手段」に対応している。
　
（カ）本願発明の「編集手段」について
　引用発明１における「ラボ２は、ユーザ１からの編集指示情報Ｈの転送（ステップＳ１２）を受けると、これに基づいて編集処理手段７において、テンプレートＴの領域Ａ１を変形するとともに、領域Ａ１に指定されたユーザ画像を挿入する編集処理を行って（ステップＳ１３）」との事項は、本願発明における「前記生成手段で生成した合成画像を、前記受信手段により受信した前記編集指示情報に従って編集する編集手段」に対応している。
  
（キ）本願発明の「第２送信手段」について
　引用発明１における「ラボ２は、ユーザ１からの編集指示情報Ｈの転送（ステップＳ１２）を受けると、これに基づいて編集処理手段７において、テンプレートＴの領域Ａ１を変形するとともに、領域Ａ１に指定されたユーザ画像を挿入する編集処理を行って（ステップＳ１３）、中間処理済み画像データＭ０の低容量データＭＬをパソコン１０に転送し（ステップＳ１４〜Ｓ１６）」との事項は、本願発明における「前記編集手段により編集又は編集し直した前記合成画像」を「前記クライアントのＷＥＢブラウザ上で表示可能なＷＥＢコンテンツの形態で該クライアントへ送信する第２送信手段」に相当している。
　
（ク）本願発明の「実行手段」について
　引用発明１における「全ての編集対象について編集処理が終了し（ステップＳ２１）、表示された画像がこれでＯＫであるという指示がなされると（ステップＳ２２）、中間処理済み画像データＭ２が処理済み画像データＳ１とされ、処理済み画像データＳ１がプリントされて（ステップＳ２３）、処理を終了する」との事項において、「表示された画像がこれでＯＫ」は本願発明における「発注の指示」に相当しているから、引用発明１の前記事項は、本願発明における「編集が確定された後の前記合成画像に基づく発注の指示を前記クライアントより受信した場合に、処理を実行する実行手段」に対応している。
　
　以上によれば、本願発明と引用発明１との一致点と相違点は、次のとおりと認められる。
　
（１）一致点
　「ネットワークを介してクライアントから受信する情報に基づいて印刷画像の処理を実行するサーバであって、
　複数種類の印刷媒体それぞれを示す印刷媒体画像を記憶する画像データベースと、
　該印刷画像が印刷される印刷媒体を前記画像データベースに記憶された前記複数種類の印刷媒体画像の中から指定する指定情報と、合成画像に対する編集指示情報とを前記クライアントより受信する受信手段と、
　印刷媒体を指定する前記指定情報により選択又は選択し直された印刷媒体画像を、前記クライアントのＷＥＢブラウザ上で表示可能なＷＥＢコンテンツの形態で該クライアントへ送信する第１送信手段と、
　前記クライアントから受信した前記指定情報に対応して選択が確定された後の印刷媒体画像と、前記印刷画像との合成画像を、生成するとともに、前記合成画像を前記クライアントのＷＥＢブラウザ上で表示可能なＷＥＢコンテンツの形態で該クライアントへ送信する生成手段と、
　前記生成手段で生成した合成画像を、前記受信手段により受信した前記編集指示情報に従って編集する編集手段と、
　前記編集手段により編集又は編集し直した前記合成画像を、前記クライアントのＷＥＢブラウザ上で表示可能なＷＥＢコンテンツの形態で該クライアントへ送信する第２送信手段と、
　編集が確定された後の前記合成画像に基づく発注の指示を前記クライアントより受信した場合に、処理を実行する実行手段と
　を備えること特徴とするサーバ。」
　
（２）相違点
［相違点１］
　本願発明では、第２送信手段が、「前記クライアントによる印刷発注指示が可能な操作部を構成する操作画面」を送信しているのに対し、引用発明１ではそのようになっていない点。
　
［相違点２］
　本願発明では、編集が確定された後の前記合成画像に基づく発注の指示を前記クライアントより受信した場合に、「前記印刷画像の印刷に係る情報を保存する処理を実行する」実行手段を備えるのに対し、引用発明１ではそのようになっていない点。
　
［相違点３］
　本願発明では、「前記印刷媒体に印刷する印刷画像をクライアントより受信する受信手段」を備えているのに対し、引用発明１では、「ユーザ１が持ち込んだフイルムから画像を読み取って高解像度の画像データＳ０を得る読取手段４」を備えている点。
　
［相違点４］
　本願発明では、「前記クライアントから受信した印刷画像との合成画像を、該印刷画像を受信することに基づいて」生成しているのに対して、引用発明１では、テンプレートデータＴとユーザ画像との合成画像を、該ユーザ画像のファイル名を含む編集指示情報Ｈを受信すること基づいて編集処理している点。
　
３　当審の判断
　次に、上記相違点について判断する。 
　
（１）相違点１について 
 　クライアントとサーバ間で受発注システムを構築する場合、「クライアントによる発注指示が可能な操作部を構成する操作画面」をサーバが送信することは、一般的に行われていることである。 
 　そうすると、引用発明１における「画像がこれでＯＫであるという指示がなされると（ステップＳ２２）」とのステップにおいて、「ＯＫであるという指示」を「印刷の発注指示」として受信できるように、「クライアントによる発注指示が可能な操作部を構成する操作画面」をサーバが送信するように構成することは、当業者であれば容易に設計できたものである。
　 
（２）相違点２について 
 　画像の編集作業の過程において、処理中あるいは処理済みの情報を保存するといったことは当業者が必要に応じてなし得るものであるから、引用発明１において、画像がこれでＯＫであるという指示がなされたときに、「印刷画像の印刷に係る情報を保存する処理を実行する」ことは、当業者が適宜なしうる設計的事項にすぎない。 
　
（３）相違点３について
　一般に、ネットワークを介して画像データを送受信することは普通に行われていたことであるから、引用発明１のように「読取手段４」によりユーザ画像を取得する手法に代えて、「前記印刷媒体に印刷する印刷画像をクライアントより受信する受信手段」を設けることは、ユーザ画像のデータサイズやネットワークの通信速度等を勘案しながら、当業者が適宜採択しうる設計的事項にすぎない。
　
（４）相違点４について
　引用発明１において、テンプレートデータＴにユーザ画像を挿入する編集処理を行うためには、これら２つのデータが編集処理時点までに取得されていればよいことは明らかである。
　そうすると、引用発明１において、相違点３において示したように、「前記印刷媒体に印刷する印刷画像をクライアントより受信する受信手段」を設けた場合、引用発明１における編集指示情報Ｈに含まれていた「ユーザ画像のファイル名」に代えて、ユーザから「ユーザ画像」を受信するように構成し、相違点４に係る本願発明の構成とすることには、特段困難なことではない。
　
　なお、審判請求人は、平成２３年１月１４日付け意見書において、次のように主張している。
　
　「そもそも、引用文献１は、クライアントから合成のための画像を送信するものではないばかりか、ラボからクライアントへ長時間を要する画像データの転送を効率よく行うことを課題とするものであり、クライアントからオリジナルの画像をサーバに送信することを想定するものではありません。
　むしろ、その課題を解決するために、複数のオリジナルの画像はサーバ上で予め用意しておき、クライアント側で編集対象の画像を選択する際には、その複数のオリジナルの画像のサムネイル画像をサーバからクライアントへ送信し、クライアントはそのサムネイル画像の中から選択した印刷画像に対して編集指示をし、クライアントから指示された編集指示情報に基づいて、サーバが対応するオリジナルの画像を編集するものであります。
　従って、引用文献１では、その課題を考慮しましても、クライアントから本願発明に相当する印刷画像（オリジナルの画像）をサーバに送信する構成が導かれることはありません。
　さらに、クライアントから印刷画像をサーバに送信する構成を導くことができない引用文献１から、本発明の特徴的な構成（ｃ）のように、印刷画像を受信することに基づいて合成画像を生成するものでもありません。」
　  
　ここで、引用文献１【０００４】〜【０００５】段落を参酌すると、引用発明１は、「中間段階まで処理がなされた中間処理済み画像データをユーザに転送しているため、転送するデータの容量が大きいと転送に長時間を要し、その結果、効率よく編集処理を行うことができない」という課題を解決するため、「所定画像よりもデータ量の少ない低容量データを生成し、該低容量データを前記クライアントに転送することを特徴とする」（【請求項１】より抜粋）発明であり、クライアントからオリジナルの画像をサーバに送信することについては、引用発明１の課題として挙げられていない。
  　
　そうすると、「クライアントから本願発明に相当する印刷画像（オリジナルの画像）をサーバに送信する構成が導かれることはありません。」とする審判請求人の主張は根拠がないものといわざるを得ない。
  　
　そして、本願発明の作用効果も、引用発明１から当業者が容易に予測できるものである。
　
　以上により、本願発明は、引用文献１に記載された発明に基づいて、当業者が容易に発明することができたものである。
　
４　小括
　よって、本願の請求項１に係る発明は、特許法第２９条第２項の規定により特許を受けることができないものである。 
　
第６　まとめ
　以上のとおり、本願請求項１に係る発明は、特許法第２９条の２及び第２９条第２項の規定により特許を受けることができないものである。
　したがって、その余の請求項について論及するまでもなく、本願は、拒絶すべきものである。 
  
 　よって、結論のとおり審決する。